(57)【要約】  本発明は、第２のネットワークプロバイダのゲートウェイノードＧＭＳを介してアクセスネットワークＡＳＮと接続されている第１のネットワークプロバイダＮＷＰ１の端末装置のメッセージを転送する方法に関する。交換されるメッセージにはそれぞれネットワークアクセス識別子ＮＡＩが設けられており、この識別子は端末装置（ＧＨ）を識別するための文字列と第１のネットワークプロバイダのサーバＡＡＡ−ＧＨをアドレッシングするための文字列とから構成されている。ネットワーク識別子は第１のネットワークプロバイダのサーバに伝送されるのではなく、第２のネットワークプロバイダのサーバに伝送されるようにリフォーマットされ、メッセージに含まれているデータの評価後に、ネットワークアクセス識別子ＮＡＩへと再度フォーマットされ、第１のネットワークプロバイダのサーバへとメッセージを転送される。
2009537102.tif 000002
【特許請求の範囲】
【請求項１】
第２のネットワークプロバイダ（ＮＷＰ２）のゲートウェイノード（ＧＭＳ）を介してアクセスネットワーク（ＡＳＮ）と接続されている第１のネットワークプロバイダ（ＮＷＰ１）の端末装置（ＧＨ）のメッセージを転送する方法において、
前記端末装置（ＧＨ）を識別するための文字列（user）と前記第１のネットワークプロバイダ（ＮＷＰ１）のサーバ（ＡＡＡ−ＧＨ）をアドレッシングするための文字列（home-realm）とから構成されている、前記端末装置（ＧＨ）の前記メッセージ内にそれぞれ包含されているネットワークアクセス識別子（ＮＡＩ）を、前記第２のネットワークプロバイダ（ＮＷＰ２）のサーバ（ＡＡＡ−ＧＭＳ）へと前記メッセージを転送するためにリフォーマットすることを特徴とする、メッセージを転送する方法。
【請求項２】
前記第２のネットワークプロバイダ（ＮＷＰ２）のサーバ（ＡＡＡ−ＧＭＳ）に転送される前記端末装置（ＧＨ）の前記メッセージを、前記第２のネットワークプロバイダ（ＮＷＰ２）のサーバ（ＡＡＡ−ＧＭＳ）から前記第１のネットワークプロバイダ（ＮＷＰ１）のサーバ（ＡＡＡ−ＧＨ）に転送する、請求項１記載の方法。
【請求項３】
前記ネットワークアクセス識別子（ＮＡＩ）のリフォーマットを前記第２のネットワークプロバイダ（ＮＷＰ２）のゲートウェイノード（ＧＭＳ）によって行う、請求項１記載の方法。
【請求項４】
前記ネットワークアクセス識別子（ＮＡＩ）のリフォーマットを前記アクセスネットワーク（ＡＳＮ）のサーバ（ＡＡＡ−Ｐ／Ｃ）によって行う、請求項１記載の方法。
【請求項５】
前記メッセージをネットワークログインメッセージおよび課金メッセージによって形成する、請求項１記載の方法。
【請求項６】
前記端末装置（ＧＨ）の前記メッセージにそれぞれ包含されている前記ネットワークアクセス識別子（ＮＡＩ）は以下のフォーマット：
ＮＡＩ＝user@home-realm
を有し、ここで「user」は前記端末装置を識別するための文字列であり、
「home-realm」は前記第１のネットワークプロバイダ（ＮＷＰ１）のサーバをアドレッシングするための文字列である、請求項１記載の方法。
【請求項７】
前記ネットワークアクセス識別子（ＮＡＩ）を変更されたネットワークアクセス識別子（ＮＡＩ’）にリフォーマットし、該リフォーマットされたネットワークアクセス識別子（ＮＡＩ’）は以下のフォーマット：
ＮＡＩ’＝home-realm!user@other-realm
を有し、ここで「other-realm」は前記第２のネットワークプロバイダ（ＮＷＰ２）のサーバをアドレッシングするための文字列である、請求項６記載の方法。
【請求項８】
前記第２のネットワークプロバイダ（ＮＷＰ２）のサーバ（ＡＡＡ−ＧＭＳ）は転送されたメッセージの受信後に、前記変更されたネットワークアクセス識別子（ＮＡＩ’）を本来のネットワークアクセス識別子（ＮＡＩ）へと再度フォーマットし、前記メッセージを前記第１のネットワークプロバイダ（ＮＷＰ１）のサーバ（ＡＡＡ−ＧＨ）へと転送する、請求項７記載の方法。
【請求項９】
前記第２のネットワークプロバイダ（ＮＷＰ２）のサーバ（ＡＡＡ−ＧＭＳ）は、該第２のネットワークプロバイダ（ＮＷＰ２）に転送された前記メッセージに包含されているデータを、前記メッセージを前記第１のネットワークプロバイダ（ＮＷＰ１）のサーバ（ＡＡＡ−ＧＭ）に転送する前に評価する、請求項８記載の方法。
【請求項１０】
転送された前記メッセージに包含されているデータは、前記第２のネットワークプロバイダ（ＮＷＰ２）のゲートウェイノード（ＧＭＳ）を介するネットワークアクセスに対して課金を行うための課金データを有し、該課金データを前記第２のネットワークプロバイダ（ＮＷＰ２）のサーバ（ＡＡＡ−ＧＭＳ）によって処理する、請求項９記載の方法。
【請求項１１】
前記ゲートウェイノード（ＧＭＳ）をＷｉＭａｘゲートウェイノードによって形成する、請求項１記載の方法。
【請求項１２】
メッセージを無線式のインタフェースまたは有線式のインタフェースを介して前記端末装置（ＧＨ）と前記ゲートウェイノード（ＧＭＳ）との間において伝送する、請求項１記載の方法。
【請求項１３】
メッセージを無線式のインタフェースを介して前記ゲートウェイノード（ＧＭＳ）と前記アクセスネットワーク（ＡＳＮ）との間において伝送する、請求項１記載の方法。
【請求項１４】
前記ゲートウェイノード（ＧＭＳ）をモバイルノードまたは固定のノードによって形成する、請求項１記載の方法。
【請求項１５】
アクセスネットワーク（ＡＳＮ）に接続するためにインタフェース（Ｓ１）を介してゲートウェイノード（ＧＭＳ）と接続されているモバイル端末装置（ＧＨ）のためのネットワークプロバイダのゲートウェイノード（ＧＭＳ）において、
端末装置（ＧＨ）から受信するメッセージに包含されているネットワークアクセス識別子（ＮＡＩ）を、前記モバイル端末装置（ＧＨ）の前記メッセージがゲートウェイネットワークプロバイダ（ＮＷＰ２）のサーバ（ＡＡＡ−ＧＭＳ）へと転送されるようにリフォーマットすることを特徴とする、ゲートウェイノード。
【請求項１６】
前記ゲートウェイノード（ＧＭＳ）はＷｉＭａｘノードであり、該ＷｉＭａｘノードは無線インタフェースを介して前記アクセスネットワーク（ＡＳＮ）の基地局（ＢＳ）と接続されている、請求項１５記載のゲートウェイノード。
【請求項１７】
前記基地局（ＢＳ）は前記アクセスネットワーク（ＡＳＮ）のゲートウェイコンピュータに接続されており、前記アクセスネットワーク（ＡＳＮ）は前記ゲートウェイネットワークプロバイダのサーバ（ＡＡＡ−ＧＭＳ）および別のネットワークプロバイダのサーバとネットワークを介して接続されている、請求項１６記載のゲートウェイノード。
【請求項１８】
前記ゲートウェイネットワークプロバイダのサーバ（ＡＡＡ−ＧＭＳ）が該サーバ（ＡＡＡ−ＧＭＳ）に転送された端末装置の前記メッセージを、前記ネットワークアクセス識別子（ＮＡＩ）を再度フォーマットした後に前記端末装置（ＧＨ）のネットワークプロバイダのサーバ（ＡＡＡ−ＧＨ）へと転送する、請求項１７記載のゲートウェイノード。
【請求項１９】
第２のネットワークプロバイダ（ＮＷＰ２）のゲートウェイノード（ＧＭＳ）から受信され、アクセスネットワーク（ＡＳＮ）のゲートウェイサーバ（ＡＳＮ−ＧＷ）へと伝送される、第１のネットワークプロバイダ（ＮＷＰ１）の端末装置（ＧＨ）に由来するメッセージに包含されているネットワークアクセス識別子（ＮＡＩ）を、前記メッセージが前記端末装置（ＧＨ）のネットワークプロバイダのサーバ（ＡＡＡ−ＧＨ）へと伝送される代わりに、ゲートウェイ（ＧＭＳ）のネットワークプロバイダのサーバ（ＡＡＡ−ＧＭＳ）へと伝送されるようにリフォーマットすることを特徴とする、ゲートウェイサーバ。
【発明の詳細な説明】
【技術分野】
【０００１】
本発明は、別のネットワークプロバイダのゲートウェイノードを介してアクセスネットワークと接続されているネットワークプロバイダのモバイル端末装置のメッセージを転送する方法と装置に関する。
【０００２】
公知のＷＬＡＮ技術（ワイヤレスＬＡＮ、標準ＩＥＥＥ  ８０２．１１）の他に、モバイル端末装置に関する無線アクセスとして将来非常に期待される無線アクセス技術が公知となっており、その無線アクセス技術は７５ＭＢ／秒の高いデータスループットで３０ｋｍ（ＬＯＳ）以上の比較的長い到達距離も達成することができる。この無線のアクセス技術はＷｉＭａｘ（Worldwide Interoperability for Microwave Access）と称される。これに対しＷＬＡＮアクセスでは送信出力が限定されていることに基づき、５４ＭＢまでのデータ伝送率で約１００ｍ（直接的なＬＯＳ）までの到達距離しか達成されない。したがってＷＬＡＮでは例えば建物内のホットスポットしか実現できない。これに対しＷｉＭａｘアクセス技術では、市区全体を８００ｍ〜１０００ｍの半径を有するメトロスポットとして示すことができるか、基地局を中心とした３０ｋｍまでの距離を有する地域全体をカバーすることができる。ＷｉＭａｘでは１００〜２００ＭＨｚの幅の３つの周波数帯域、すなわち２．６ＧＨｚ、３．５ＧＨｚおよび５．８ＧＨｚが予定されている。ＷｉＭＡＸはモバイルＩＰ（すなわちモバイル端末装置）を支援する。モバイル端末装置、例えばラップトップ、ＰＤＡなどにインターネットとのアクセスを提供するネットワークにはモビリティ管理に関する特別な要求が課される。
【０００３】
ＷｉＭａｘフォーラムは標準ＩＥＥＥ  ８０２．１６を基礎としたモバイルネットワークのためのネットワークアーキテクチャを標準化した。
【０００４】
多くの状況において、モバイル端末装置ないしゲートウェイホスト（ＧＨ）を直接的にアクセスネットワークＡＳＮ（Access Serving Network）の基地局ＢＳと接続することは不可能である。例えば、モバイル端末装置が一方の建物の地下駐車場にある場合には、この一方の建物の鉄筋コンクリートが信号を減衰させるか遮蔽するので、他方の建物の屋上にある基地局ＢＳのアンテナはモバイル端末装置との通信コネクションを確立することはできない。これらの場合には従来ではゲートウェイノードＧＭＳが設けられ、このゲートウェイノードＧＭＳを介して地下駐車場にあるモバイル端末装置は基地局とコネクションを確立することができる。ゲートウェイノードないし中間ノード（ＧＭＳ）により端末装置ないしゲートウェイホスト（ＧＨ）は例えばＷｉＭａｘアクセスネットワークでよいアクセスネットワークＡＳＮとのコネクションを実現する。端末装置ＧＨとゲートウェイノードＧＭＳとの間の通信を無線式の例えばＷＬＡＮコネクションとして実現することができるか、有線式のイーサネットコネクションとして実現することができる。端末装置ないしゲートウェイホスト（ＧＨ）はネットワークにログインするためにＷｉＭａｘキーないし鍵を有する。モバイル端末装置ＧＨは既存の鍵を、ゲートウェイノードＧＭＳを介するＷｉＭａｘアクセスネットワークにおける認証に使用する。このようにして端末装置ＧＨに、この端末装置ＧＨに由来するデータトラフィックを対応付け、相応に料金技術的に課金することができる。
【０００５】
もっとも、端末装置ＧＨとゲートウェイノードＧＭＳが異なるネットワークプロバイダを有していることが多い。図１は、従来技術によるネットワークアーキテクチャを概略的に示す。モバイル端末装置ＧＨはＷＬＡＮインタフェースを介してゲートウェイノードＧＭＳと接続されている。モバイル端末装置ＧＨは第１のネットワークプロバイダＮＷＰ１によって管理され、またゲートウェイノードＧＭＳは第２のネットワークプロバイダＮＷＰ２によって管理される。ゲートウェイノードＧＭＳは無線インタフェース、例えばＷｉＭａｘインタフェースを介して、複数の基地局ＢＳを有するアクセスネットワークＡＳＮと接続されている。基地局ＢＳはアクセスネットワークＡＳＮのゲートウェイサーバＡＳＮ−ＧＷに接続されており、このゲートウェイサーバＡＳＮ−ＧＷはＡＡＡサーバを有する。ＡＡＡサーバはＡＡＡプロキシ（ＡＡＡ−Ｐ）またはＡＡＡクライアントサーバである。ＡＡＡプロキシとしてアクセスネットワークＡＳＮのサーバは受信したメッセージを単に転送する。ＡＡＡクライアントとしてＡＳＮゲートウェイのＡＡＡサーバは自身でメッセージを生成する。ＡＳＮゲートウェイのＡＡＡサーバによって生成される、転送ないし生成されたメッセージは必要に応じて設けられている中間ネットワークを介してモバイル端末装置ＧＨのホームネットワークＡＡＡサーバに転送される。ＡＡＡサーバは認証、許可および課金（AAA: Authentization, AuthorizationおよびAccounting）に関する機能を実施する。メッセージはいわゆるラディウス（Radius）データ伝送プロトコルまたはディアメータ（Diameter）データ伝送プロトコルにしたがい交換される。
【０００６】
従来技術による図１に示されているネットワークアーキテクチャの欠点は、モバイル端末装置ＧＨのＡＡＡメッセージがアクセスネットワークＡＳＮを介してモバイル端末装置のホームネットワークのサーバＡＡＡ−ＧＨへと直接的に伝送されるが、この際に別のネットワークプロバイダＮＷＰ２、すなわちゲートウェイアクセスノードＧＭＳのためのネットワークプロバイダのＡＡＡサーバがこのＡＡＡメッセージを受信しないことである。したがってアクセスノードＧＭＳのネットワークプロバイダＮＷＰ２は自身のゲートウェイノードＧＭＳを介して流れるメッセージを料金技術的に課金することができない。ネットワークノードＧＭＳのネットワークプロバイダＮＷＰ２はモバイル端末装置ＧＨによって利用された提供したサービスを課金することができないので、相応のゲートウェイノードＧＭＳを設置するという動機も生じない。
【０００７】
したがって本発明の課題は、端末装置を別のネットワークプロバイダによって設置されたゲートウェイアクセスノードを介してアクセスネットワークへと接続する際に、提供されたサービスに対する課金をゲートウェイノードのネットワークプロバイダに実現させる方法と装置を提供することである。
【０００８】
本発明によればこの課題は、請求項１に記載されている特徴を有する方法によって解決される。
【０００９】
本発明は、第２のネットワークプロバイダ（ＮＷＰ２）のゲートウェイノード（ＧＭＳ）を介してアクセスネットワーク（ＡＳＮ）と接続されている第１のネットワークプロバイダ（ＮＷＰ１）の端末装置（ＧＨ）のメッセージを転送する方法を提供し、この方法においては、端末装置を識別するための文字列（user）と第１のネットワークプロバイダ（ＮＷＰ１）のサーバ（ＡＡＡ−ＧＨ）をアドレッシングするための文字列（home-realm）とから構成されている、端末装置（ＧＨ）のメッセージ内にそれぞれ包含されているネットワークアクセス識別子（ＮＡＩ）が第２のネットワークプロバイダ（ＮＷＰ２）のサーバ（ＡＡＡ−ＧＭＳ）へとメッセージを転送するためにリフォーマットされる。
【００１０】
端末装置ＧＨは殊にモバイル端末装置、例えばＰＤＡまたはノードブックである。
【００１１】
ゲートウェイノードＧＭＳもモバイル端末装置または固定局でよい。
【００１２】
本発明による方法の有利な実施形態においては、第２のネットワークプロバイダのサーバに転送されるモバイル端末装置ＧＨのメッセージが第２のネットワークプロバイダのサーバから第１のネットワークプロバイダのサーバへと転送される。
【００１３】
ネットワークアクセス識別子（ＮＡＩ）のリフォーマットは、有利には第２のネットワークプロバイダのゲートウェイノードＧＭＳによって行われる。
【００１４】
択一的な実施形態においては、ネットワークアクセス識別子（ＮＡＩ）のリフォーマットはアクセスネットワーク（ＡＳＮ）のサーバによって行われる。
【００１５】
リフォーマットないしいわゆる「デコレーション」はいずれの場合にも端末装置ＧＨにおいて行われるのではなく、ネットワーク装置において行われるので、メッセージの殊に信頼に足るルーティングないし転送を達成することができる。ネットワーク内に設けられているコンポーネントはメッセージの交換時に、モバイル端末装置ＧＨから受信することになるメッセージに比べて高い信頼性を相互に有しているという利点がある。何故ならば、このようにして相互に交換されるメッセージを不正に操作する可能性が低くなるからである。さらにはネットワーク内でのリフォーマットによって、認証に関するメッセージパスとアカウンティングないし課金に関するメッセージパスが別個であってもＡＡＡメッセージの適切なルーティングないし転送を達成することができる。すなわち、課金のためのＡＡＡクライアントが認証のためのＡＡＡシグナリング経路内に存在しない場合であっても適切なルーティングないし転送を達成することができる。
【００１６】
本発明による方法の有利な実施形態においては、メッセージがネットワークログインメッセージおよび決済メッセージによって形成される。
【００１７】
本発明による方法の有利な実施形態において、それぞれ端末装置ＧＨのメッセージＮＡＩに包含されているネットワークアクセス識別子（ＮＡＩ）は以下のフォーマットを有する：
ＮＡＩ＝user@home-realm、
ここで「user」はモバイル端末装置を識別するための文字列であり、「home-realm」は第１のネットワークプロバイダのサーバをアドレッシングするための文字列である。
【００１８】
本発明による方法の有利な実施形態においては、ネットワークアクセス識別子ＮＡＩが変更されたネットワークアクセス識別子ＮＡＩ’にリフォーマットされ、このリフォーマットされたネットワークアクセス識別子は以下のフォーマットを有する：
ＮＡＩ’＝home-realm!user@other-realm、
ここで「other-realm」は第２のネットワークプロバイダのサーバをアドレッシングするための文字列である。
【００１９】
本発明による方法の有利な実施形態においては、第２のネットワークプロバイダのサーバが自身に転送されたメッセージの受信後に、変更されたネットワークアクセス識別子ＮＡＩ’を本来のネットワークアクセス識別子ＮＡＩへと再度フォーマットし、メッセージを第１のネットワークプロバイダのサーバへと転送する。
【００２０】
本発明による方法の有利な実施形態においては、第２のネットワークプロバイダのサーバは自身に転送されたメッセージ内に包含されているデータを、このメッセージを第１のネットワークプロバイダのサーバに転送する前に評価する。
【００２１】
本発明による方法の有利な実施形態においては、転送されたメッセージ内に包含されているデータは第２のネットワークプロバイダのゲートウェイノードＧＭＳを介するネットワークアクセスに対して課金を行うための課金データを有し、この課金データが第２のネットワークプロバイダのサーバによって処理される。
【００２２】
本発明による方法の殊に有利な実施形態においては、ゲートウェイノードＧＭＳがＷｉＭａｘゲートウェイノードによって形成される。
【００２３】
本発明による方法の有利な実施形態においては、メッセージが無線式のインタフェースまたは有線式のインタフェースを介してモバイル端末装置ＧＨとゲートウェイノードＧＭＳとの間で伝送される。
【００２４】
本発明による方法の実施形態においては、メッセージが無線式のインタフェースを介してゲートウェイノードＧＭＳとアクセスネットワークＡＳＮとの間で伝送される。
【００２５】
ゲートウェイノードＧＭＳは有利にはモバイルノードによって形成される。
【００２６】
択一的に、ゲートウェイノードＧＭＳは固定のノードないし固定局によって形成される。
【００２７】
本発明はさらに請求項１５に記載されている特徴を備えたゲートウェイノードＧＭＳを提供する。
【００２８】
本発明は、アクセスネットワークＡＳＮに接続するためにゲートウェイノードＧＭＳとインタフェースを介して接続されているモバイル端末装置ＧＨのためのネットワークプロバイダのゲートウェイノードＧＭＳを提供し、このゲートウェイノードＧＭＳはモバイル端末装置ＧＨから受信するメッセージ内に包含されているネットワークアクセス識別子ＮＡＩを、モバイル端末装置ＧＨのメッセージがゲートウェイネットワークプロバイダのサーバＡＡＡ−ＧＭＳへと転送されるようにリフォーマットする。
【００２９】
本発明によるゲートウェイノードの有利な実施形態においては、ゲートウェイノードＧＭＳがＷｉＭａｘノードであり、このＷｉＭａｘノードは無線インタフェースを介してアクセスネットワークＡＳＮの基地局ＢＳと接続されている。
【００３０】
基地局は有利にはアクセスネットワークＡＳＮのゲートウェイコンピュータＡＳＮ−ＧＷに接続されており、このアクセスネットワークＡＳＮはゲートウェイネットワークプロバイダのサーバＡＡＡ−ＧＭＳおよび別のネットワークプロバイダのサーバとネットワークを介して接続されている。
【００３１】
本発明によるゲートウェイノードＧＭＳの殊に有利な実施形態においては、ゲートウェイネットワークプロバイダのサーバが自身に転送されたモバイル端末装置ＧＨのメッセージを、ネットワークアクセス識別子を再度フォーマットした後にモバイル端末装置ＧＨのネットワークプロバイダのサーバＡＡＡ−ＧＨへと転送する。
【００３２】
本発明はさらに請求項１８に記載されている特徴を備えたゲートウェイサーバ（ＡＳＮ−ＧＷ）を提供する。
【００３３】
本発明は、第２のネットワークプロバイダ（ＮＷＰ２）のゲートウェイノード（ＧＭＳ）から受信され、アクセスネットワーク（ＡＳＮ）のゲートウェイサーバ（ＡＳＮ−ＧＨ）へと伝送される、第１のネットワークプロバイダ（ＮＷＰ１）の端末装置（ＧＨ）に由来するメッセージ内に包含されているネットワークアクセス識別子（ＮＡＩ）を、メッセージが端末装置（ＧＨ）のネットワークプロバイダのサーバ（ＡＡＡ−ＧＨ）へと伝送される代わりに、ゲートウェイ（ＧＭＳ）のネットワークプロバイダのサーバ（ＡＡＡ−ＧＭＳ）へと伝送されるようにリフォーマットする。
【００３４】
以下では、本発明の本質をなす特徴を説明するために添付の図面を参照しながら本発明による方法ならびにアクセスネットワークの本発明によるゲートウェイノードＧＭＳおよび本発明によるゲートウェイサーバＡＳＮ−ＧＷの有利な実施形態を説明する。
【００３５】
ここで、
図１は、従来技術によるネットワーク装置を示す。
図２は、ネットワークアクセス識別子ＮＡＩをリフォーマットするために本発明による方法において使用されるリフォーマットプロセスを説明するためのネットワーク装置を示す。
図３は、ネットワークアクセス識別子ＮＡＩをリフォーマットするために本発明による方法において使用されるリフォーマットプロセスを説明するための表を示す。
図４は、本発明による方法を説明するためのネットワーク装置を示す。
図５は、本発明による方法の考えられる実施形態を説明するための信号チャートを示す。
【００３６】
図２に示されているネットワーク装置を、ＮＡＩデコレーションないし装飾とも称されるネットワークアクセス識別子ＮＡＩのリフォーマットを行うために本発明による方法において使用されるリフォーマットプロセスを説明するために使用する。図２から見て取れるように、端末装置ＧＨ、殊にモバイル端末装置ＧＨは無線インタフェースを介してアクセスネットワークＡＳＮの基地局ＢＳと接続されている。基地局ＢＳはアクセスネットワークＡＳＮのゲートウェイのＡＡＡサーバに接続されている。ＡＡＡクライアントサーバは複数のＡＡＡメッセージを生成し、これらのＡＡＡメッセージはそれぞれ１つのネットワークアクセス識別子（ＮＡＩ：Network Access Identifier）を包含する。ユーザはネットワークにログインする際に自身のネットワークアクセス識別子ＮＡＩをネットワークに知らせ、これによりネットワークはユーザの認証データを適切なＡＡＡサーバ、すなわちユーザのホームＡＡＡサーバにルーティングすることができる。ネットワークアクセス識別子ＮＡＩは＠マークによって相互に分離されている２つの文字列を含む。第１の文字列「user」は加入者ないしユーザを表し、また第２の文字列「realm」は加入者のホームネットワークのＡＡＡサーバを表す。
ＮＡＩ＝user@home-realm。
【００３７】
ネットワークアクセス識別子ＮＡＩはユーザのＥメールアドレスと同一であってはならない、もしくは応答メッセージにおいて使用されるユーザ識別子と同一であってはならない。アクセスネットワークのＡＡＡサーバはユーザのネットワークへのログインの際にネットワークアクセス識別子ＮＡＩを記憶する。
【００３８】
図２に示されているネットワーク装置においては、ユーザのメッセージをアクセスネットワークＡＳＮから種々の中間ネットワークＣＳＮ（Connectivity Service Network）を介してルータのホームネットワーク内のＡＡＡサーバに伝送することができる。図２に示されている場合においては、中間ネットワークＣＳＮが端末装置ＧＨのネットワークプロバイダＮＷＰGHとは異なる種々のネットワークプロバイダＮＷＰによって管理される。種々のネットワークプロバイダＮＷＰ間では通常の場合、いわゆるローミング協定ないし合意が成立しており、これによりメッセージを別のネットワークプロバイダのネットワークを介して伝送することができる。
【００３９】
アクセスネットワークＡＳＮのＡＡＡサーバには、例えばアクセスネットワークＡＳＮのＡＡＡサーバと接続されており、且つＡＡＡメッセージを転送することができる種々のネットワークプロバイダの種々のＡＡＡサーバのアドレスを含むネットワーク選択リストが設けられている。図２に示されている例における端末装置のネットワークプロバイダＮＷＰGHがネットワークプロバイダＮＷＰXとローミング協定を結んでいる場合には、端末装置ＧＨに由来するメッセージがアクセスネットワークＡＳＮのＡＡＡサーバからＡＡＡサーバＶ−ＡＡＡXを介してモバイル端末装置ＧＨのホームネットワークのＡＡＡサーバＡＡＡ−ＧＨに転送される。アクセスネットワークＡＳＮのサーバがこれを認識するために、端末装置ＧＨにおいてはメッセージに包含されているネットワークアクセス識別子ＮＡＩのリフォーマットないしデコレーションが行われる。
【００４０】
端末装置のメッセージに包含されているネットワークアクセス識別子ＮＡＩはリフォーマットの前に以下のフォーマットを有する：
ＮＡＩ＝user@home-realm
ここで「user」は端末装置ないし加入者を識別するための文字列を表し、「home-realm」はモバイル端末装置のネットワークプロバイダのＡＡＡ−ＧＨサーバをアドレッシングするための文字列を表す。
【００４１】
端末装置ＧＨによってリフォーマットが行われた後に、ネットワークアクセス識別子ＮＡＩは以下のフォーマットを有する：
ＮＡＩ＝home-realm!user@other-realm
ここで「other-realm」は端末装置ＧＨのネットワークプロバイダがローミング協定を結んでいるネットワークプロバイダＮＷＰxのＡＡＡサーバ「Ｖ−ＡＡＡx」をアドレッシングするための文字列を表す。
【００４２】
認証された端末装置ＧＨは、選択した訪問先ネットワークＡＳＮxを示すためにＮＡＩデコレーションを自身で行う。端末装置ＧＨに由来する、リフォーマットされたネットワークアクセス識別子ＮＡＩを有するメッセージは訪問先ネットワークＣＳＮxのＡＡＡサーバを介してモバイル端末装置ＧＨのホームＡＡＡサーバＡＡＡ−ＧＨに転送される。
【００４３】
ネットワークアクセス識別子ＮＡＩをリフォーマットするためにネットワーク選択の際に使用されるこのリフォーマットメカニズムは本発明による方法では、別のネットワークプロバイダによって管理されるゲートウェイノードＧＭＳのモバイル端末装置ＧＨに対するサービスについて料金技術的に課金するために使用される。
【００４４】
図４は、本発明による方法を説明するためのネットワーク装置を示す。モバイル端末装置または固定の端末装置でよい端末装置ＧＨは第１のネットワークプロバイダＮＷＰ１に対応付けられている。第１のインタフェースＳ１、例えばＩＥＥＥ８０２．１１に準拠するＷＬＡＮインタフェースを介して端末装置ないしゲートウェイホストは中間ノードＧＭＳ（ゲートウェイＭＳ）と接続されており、この中間ノードＧＭＳは第２のネットワークプロバイダＮＷＰ２によって管理されるか、この第２のネットワークプロバイダＮＷＰ２によって設置されたものである。ゲートウェイノードＧＭＳは固定局でよい、または移動局ＭＳ、殊にモバイルＷｉＭａｘ局でよい。中間ノードないしゲートウェイノードＧＭＳは例えばＩＥＥＥ８０２．１６に準拠する無線のＷｉＭＡＸインタフェースでよい第２のインタフェースＳ２を介して中間ネットワークＡＳＮ（Access Serving Network）と接続されている。中間ネットワークＡＳＮは複数の基地局ＢＳを有し、これらの基地局ＢＳにより中間ノードＧＭＳとのデータ伝送コネクションが実現される。中間ネットワークＡＳＮの基地局ＢＳは、ＡＡＡサーバ（ＡＡＡ−Ｐ／Ｃ）を有する中間ネットワークＡＳＮの少なくとも１つのゲートウェイノードＡＳＮゲートウェイと接続されている。ＡＡＡサーバはＡＡＡプロキシサーバおよび／またはＡＡＡクライアントサーバである。ＡＡＡプロキシサーバ（ＡＡＡ−Ｐ）は受信したＡＡＡメッセージを単に転送するだけだが、ＡＡＡクライアントサーバ（ＡＡＡ−Ｃ）は自身でＡＡＡメッセージを生成することができる。アクセスネットワークＡＳＮのゲートウェイＡＳＮ−ＧＷは必要に応じて設けられている中間ネットワーク（Ｖ−ＡＡＡ、訪問先ＡＡＡサーバ）を介して第２のネットワークプロバイダＮＷＰ２のＡＡＡサーバに接続されている。
【００４５】
本発明による方法では、第２のネットワークプロバイダＮＷＰ２のゲートウェイノードＧＭＳを介してアクセスネットワークＡＳＮと接続されている第１のネットワークプロバイダＮＷＰ１の端末装置ＧＨのメッセージはモバイル端末装置のホームネットワークのＡＡＡサーバに直接的に転送されるのではなく、先ず第２のネットワークプロバイダＮＷＰ２のＡＡＡサーバに転送される。このために、端末装置ＧＨを識別するための文字列（user）および第１のネットワークプロバイダＮＷＰ１のサーバをアドレッシングするための文字列（home-realm）からなる、端末装置のメッセージに包含されているネットワークアクセス識別子ＮＡＩがメッセージを第２のネットワークプロバイダＮＷＰ２のサーバＡＡＡ−ＧＭＳへと転送するためにリフォーマットされる。
【００４６】
リフォーマットは有利にはネットワーク選択から公知のリフォーマットメカニズム、すなわちＮＡＩデコレーションメカニズムにしたがい行われる。
【００４７】
本発明による方法の第１の実施形態においては、ネットワークアクセス識別子のリフォーマットが第２のネットワークプロバイダＮＷＰ２のゲートウェイノードＧＭＳにおいて行われる。
【００４８】
択一的な実施形態においては、ネットワークアクセス識別子ＮＡＩのリフォーマットがアクセスネットワークのサーバ、すなわちアクセスネットワークＡＳＮのＡＡＡクライアントサーバまたはＡＡＡプロキシサーバによって行われる。ＡＡＡサーバを例えばアクセスネットワークのゲートウェイＡＳＮ−ＧＷ内に設けることができる。ネットワークアクセス識別子ＮＡＩのリフォーマットによって、本来ホームネットワークのＡＡＡサーバＧＨに送信される端末装置ＧＨのメッセージが転送されるので、このメッセージはここでは第２のネットワークプロバイダＮＷＰ２のＡＡＡサーバに転送される。所期のように目的アドレスの切り替えが行われる。
【００４９】
ネットワークアクセス識別子ＮＡＩの再デコレーションないしリフォーマットがゲートウェイノードＧＭＳによって行われる場合には、ゲートウェイノードＧＭＳはネットワークアクセス識別子ＮＡＩ（ＮＡＩ＝user@home-realm）を以下のような変更されたネットワークアクセス識別子ＮＡＩ’にリフォーマットする：
ＮＡＩ’＝home-realm!user@other-realm。
【００５０】
「other-realm」は考えられる実施形態においては第２のネットワークプロバイダＮＷＰ２のサーバをアドレッシングするために使用される文字列である。もっとも文字列には管理者によりコンフィギュレートされたＲｅａｌｍアドレスないし文字列も択一的に使用することができる。端末装置ＧＨがネットワークにログインする際に交換される認証データに関して中間ノードＧＭＳはＡＡＡクライアントを表す。
【００５１】
アクセスネットワークＡＳＮのＡＡＡクライアントサーバによって再デコレーションないしリフォーマットが行われるか、ゲートウェイノードＧＭＳ内に設けられているＡＡＡクライアントがアクセスネットワークＡＳＮ内のＡＡＡプロキシサーバと通信する。このヴァリエーションにおいては、ＡＡＡプロキシサーバがネットワークアクセス識別子ＮＡＩのデコレーションないしリフォーマットを実施する。このために、ネットワークにログインする際にゲートウェイノードＧＭＳによって使用されるネットワークアクセス識別子ＮＡＩのｒｅａｌ部分が使用される。ＡＡＡプロキシサーバはこのｒｅａｌｍを直接的に使用するか、このｒｅａｌｍをデコレートされたホストＮＡＩに挿入する。択一的に、ゲートウェイノードＧＭＳのネットワークアクセス識別子ＮＡＩがマッピングテーブルに基づきｒｅａｌｍにマッピングされ、このマッピングされたｒｅａｌｍはデコレートもしくはリフォーマットされたホストネットワークアクセス識別子ＮＡＩに挿入される。
【００５２】
端末装置ＧＨのアカウンティングないし課金データに関してＡＡＡクライアントがアクセスネットワークのゲートウェイ（ＡＳＮ−ＧＷ）内に設けられている。ＡＡＡクライアントは第１のヴァリエーションにおいて、リフォーマットされたネットワークアクセス識別子ＮＡＩ’を有するモバイル端末装置ＧＨのアカウンティングデータを形成する。択一的にＡＡＡプロキシはリフォーマットされたＮＡＩを記憶し、これをゲートウェイノードＧＭＳはモバイル端末装置ＧＨがネットワークにログインしている間に行い、ＡＡＡクライアントはリフォーマットされたＮＡＩをモバイル端末装置ＧＨの課金データのために使用する。
【００５３】
第２のネットワークプロバイダＮＷＰのサーバＡＡＡ−ＧＭＳに転送される端末装置ＧＨのメッセージは、第２のネットワークプロバイダＮＷＰ２のサーバＡＡＡ−ＧＭＳによって第１のネットワークプロバイダＮＷＰ１のサーバＡＡＡ−ＧＨに転送される。第２のネットワークプロバイダＮＷＰ２のサーバＡＡＡ−ＧＭＳは転送されたメッセージに包含されているデータを、このメッセージを第１のネットワークプロバイダＮＷＰ１のサーバＡＡＡ−ＧＨに転送する前に評価する。メッセージが殊にゲートウェイノードＧＭＳを介して端末装置のネットワークアクセスを決済するための課金データを包含する場合には、これらのデータが第２のネットワークプロバイダＮＷＰ２のサーバＡＡＡ−ＧＭＳによって、このメッセージが転送される前に処理される。
【００５４】
図５は、本発明による方法を説明するための信号チャートを示す。先ず、ゲートウェイノードＧＭＳのネットワークログインがそのネットワークアクセス識別子ＮＡＩ＝gatewayname@other-realm＝u-gms@r-gms.comを用いてゲートウェイノードのＡＡＡサーバＡＡＡ−ＧＭＳにおいて行われる。
【００５５】
続いて端末装置ＧＨのアクセス認証ないしネットワークログインが行われる。
【００５６】
図５に示されているヴァリエーションＡにおいては、ネットワークアクセス識別子のリフォーマットがゲートウェイノードＧＭＳによって行われる。
【００５７】
図５に示されているヴァリエーションＢにおいては、ネットワークアクセス識別子ＮＡＩのリフォーマットないしデコレーションがアクセスネットワークＡＳＮのＡＡＡプロキシサーバによって行われる。
【００５８】
図５に示されているように、ＡＡＡメッセージは続いて再デコレーションないしリフォーマットされたネットワークアクセス識別子を用いてゲートウェイノードのＡＡＡサーバ（ＡＡＡ−ＧＭＳ）を介して転送され、そこにおいて先ず評価される。課金データないし決済データがゲートウェイノードＧＭＳのＡＡＡ−ＧＭＳサーバによって決済されると、ネットワークアクセス識別子ＮＡＩが再度フォーマットされた後にメッセージがホームネットワークのＡＡＡサーバに転送される。
【００５９】
本発明による方法は、端末装置ないしホストのログインデータおよびアカウンティングデータがゲートウェイノードのホームＡＡＡサーバを介してルーティングされ、またそこにおいて処理できるようにすることを実現する。このことは、ゲートウェイノードＧＭＳのプロバイダが端末装置によるゲートウェイノードの利用をユーザに対して課金できるようにするために殊に重要である。本発明による方法は、端末装置への付加的な要求が存在しないという利点を有する。すなわち、ネットワークアクセス識別子ＮＡＩのリフォーマットがモバイル端末装置自体によって実施されるのではなく、ゲートウェイノードＧＭＳまたはアクセスネットワークＡＳＮのＡＡＡサーバによって行われる。モバイル端末装置ＧＨに関する回路技術的な手間は本発明による方法によって増加することはない。
【図面の簡単な説明】
【００６０】
【図１】従来技術によるネットワーク装置を示す。
【図２】ネットワークアクセス識別子ＮＡＩをリフォーマットするために本発明による方法において使用されるリフォーマットプロセスを説明するためのネットワーク装置を示す。
【図３】ネットワークアクセス識別子ＮＡＩをリフォーマットするために本発明による方法において使用されるリフォーマットプロセスを説明するための表を示す。
【図４】本発明による方法を説明するためのネットワーク装置を示す。
【図５】本発明による方法の考えられる実施形態を説明するための信号チャートを示す。
【図１】
2009537102.tif 000003
【図２】
2009537102.tif 000004
【図３】
2009537102.tif 000005
【図４】
2009537102.tif 000006
【図５】
2009537102.tif 000007
【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
第２のネットワークプロバイダ（ＮＷＰ２）のゲートウェイノード（ＧＭＳ）を介してアクセスネットワーク（ＡＳＮ）と接続されている第１のネットワークプロバイダ（ＮＷＰ１）の端末装置（ＧＨ）のメッセージを転送する方法において、
（ａ）前記端末装置（ＧＨ）を識別するための文字列（user）と前記第１のネットワークプロバイダ（ＮＷＰ１）のサーバ（ＡＡＡ−ＧＨ）をアドレッシングするための文字列（home-realm）とから構成されている、前記端末装置（ＧＨ）の前記メッセージ内にそれぞれ包含されているネットワークアクセス識別子（ＮＡＩ）を、前記第２のネットワークプロバイダ（ＮＷＰ２）のサーバ（ＡＡＡ−ＧＭＳ）へと前記メッセージを転送するためにリフォーマットし、
（ｂ）前記端末装置（ＧＨ）の前記メッセージにそれぞれ包含されている前記ネットワークアクセス識別子（ＮＡＩ）は以下のフォーマット：
ＮＡＩ＝user@home-realm
を有し、ここで「user」は前記端末装置を識別するための文字列であり、
「home-realm」は前記第１のネットワークプロバイダ（ＮＷＰ１）のサーバをアドレッシングするための文字列であり、
前記ネットワークアクセス識別子（ＮＡＩ）を変更されたネットワークアクセス識別子（ＮＡＩ’）にリフォーマットし、該リフォーマットされたネットワークアクセス識別子（ＮＡＩ’）は以下のフォーマット：
ＮＡＩ’＝home-realm!user@other-realm
を有し、ここで「other-realm」は前記第２のネットワークプロバイダ（ＮＷＰ２）のサーバをアドレッシングするための文字列であり、
（ｄ）前記第２のネットワークプロバイダ（ＮＷＰ２）のサーバ（ＡＡＡ−ＧＭＳ）は転送されたメッセージの受信後に、前記変更されたネットワークアクセス識別子（ＮＡＩ’）を本来のネットワークアクセス識別子（ＮＡＩ）へと再度フォーマットし、前記メッセージを前記第１のネットワークプロバイダ（ＮＷＰ１）のサーバ（ＡＡＡ−ＧＨ）へと転送することを特徴とする、メッセージを転送する方法。
【請求項２】
前記第２のネットワークプロバイダ（ＮＷＰ２）のサーバ（ＡＡＡ−ＧＭＳ）に転送される前記端末装置（ＧＨ）の前記メッセージを、前記第２のネットワークプロバイダ（ＮＷＰ２）のサーバ（ＡＡＡ−ＧＭＳ）から前記第１のネットワークプロバイダ（ＮＷＰ１）のサーバ（ＡＡＡ−ＧＨ）に転送する、請求項１記載の方法。
【請求項３】
前記ネットワークアクセス識別子（ＮＡＩ）のリフォーマットを前記第２のネットワークプロバイダ（ＮＷＰ２）のゲートウェイノード（ＧＭＳ）によって行う、請求項１記載の方法。
【請求項４】
前記ネットワークアクセス識別子（ＮＡＩ）のリフォーマットを前記アクセスネットワーク（ＡＳＮ）のサーバ（ＡＡＡ−Ｐ／Ｃ）によって行う、請求項１記載の方法。
【請求項５】
前記メッセージをネットワークログインメッセージおよび課金メッセージによって形成する、請求項１記載の方法。
【請求項６】
前記第２のネットワークプロバイダ（ＮＷＰ２）のサーバ（ＡＡＡ−ＧＭＳ）は、該第２のネットワークプロバイダ（ＮＷＰ２）に転送された前記メッセージに包含されているデータを、前記メッセージを前記第１のネットワークプロバイダ（ＮＷＰ１）のサーバ（ＡＡＡ−ＧＭ）に転送する前に評価する、請求項１記載の方法。
【請求項７】
転送された前記メッセージに包含されているデータは、前記第２のネットワークプロバイダ（ＮＷＰ２）のゲートウェイノード（ＧＭＳ）を介するネットワークアクセスに対して課金を行うための課金データを有し、該課金データを前記第２のネットワークプロバイダ（ＮＷＰ２）のサーバ（ＡＡＡ−ＧＭＳ）によって処理する、請求項６記載の方法。
【請求項８】
前記ゲートウェイノード（ＧＭＳ）をＷｉＭａｘゲートウェイノードによって形成する、請求項１記載の方法。
【請求項９】
メッセージを無線式のインタフェースまたは有線式のインタフェースを介して前記端末装置（ＧＨ）と前記ゲートウェイノード（ＧＭＳ）との間において伝送する、請求項１記載の方法。
【請求項１０】
メッセージを無線式のインタフェースを介して前記ゲートウェイノード（ＧＭＳ）と前記アクセスネットワーク（ＡＳＮ）との間において伝送する、請求項１記載の方法。
【請求項１１】
前記ゲートウェイノード（ＧＭＳ）をモバイルノードまたは固定のノードによって形成する、請求項１記載の方法。
【請求項１２】
アクセスネットワーク（ＡＳＮ）に接続するためにインタフェース（Ｓ１）を介してゲートウェイノード（ＧＭＳ）と接続されているモバイル端末装置（ＧＨ）のためのネットワークプロバイダのゲートウェイノード（ＧＭＳ）において、
（ａ）端末装置（ＧＨ）から受信するメッセージに包含されているネットワークアクセス識別子（ＮＡＩ）を、前記モバイル端末装置（ＧＨ）の前記メッセージがゲートウェイネットワークプロバイダ（ＮＷＰ２）のサーバ（ＡＡＡ−ＧＭＳ）へと転送されるようにリフォーマットし、
（ｂ）前記端末装置（ＧＨ）の前記メッセージにそれぞれ包含されている前記ネットワークアクセス識別子（ＮＡＩ）は以下のフォーマット：
ＮＡＩ＝user@home-realm
を有し、ここで「user」は前記端末装置を識別するための文字列であり、
「home-realm」は前記第１のネットワークプロバイダ（ＮＷＰ１）のサーバをアドレッシングするための文字列であり、
前記ネットワークアクセス識別子（ＮＡＩ）を変更されたネットワークアクセス識別子（ＮＡＩ’）にリフォーマットし、該リフォーマットされたネットワークアクセス識別子（ＮＡＩ’）は以下のフォーマット：
ＮＡＩ’＝home-realm!user@other-realm
を有し、ここで「other-realm」は前記第２のネットワークプロバイダ（ＮＷＰ２）のサーバをアドレッシングするための文字列であり、
（ｄ）前記第２のネットワークプロバイダ（ＮＷＰ２）のサーバ（ＡＡＡ−ＧＭＳ）は転送されたメッセージの受信後に、前記変更されたネットワークアクセス識別子（ＮＡＩ’）を本来のネットワークアクセス識別子（ＮＡＩ）へと再度フォーマットし、前記メッセージを前記第１のネットワークプロバイダ（ＮＷＰ１）のサーバ（ＡＡＡ−ＧＨ）へと転送することを特徴とする、ゲートウェイノード。
【請求項１３】
前記ゲートウェイノード（ＧＭＳ）はＷｉＭａｘノードであり、該ＷｉＭａｘノードは無線インタフェースを介して前記アクセスネットワーク（ＡＳＮ）の基地局（ＢＳ）と接続されている、請求項１２記載のゲートウェイノード。
【請求項１４】
前記基地局（ＢＳ）は前記アクセスネットワーク（ＡＳＮ）のゲートウェイコンピュータに接続されており、前記アクセスネットワーク（ＡＳＮ）は前記ゲートウェイネットワークプロバイダのサーバ（ＡＡＡ−ＧＭＳ）および別のネットワークプロバイダのサーバとネットワークを介して接続されている、請求項１３記載のゲートウェイノード。
【請求項１５】
前記ゲートウェイネットワークプロバイダのサーバ（ＡＡＡ−ＧＭＳ）が該サーバ（ＡＡＡ−ＧＭＳ）に転送された端末装置の前記メッセージを、前記ネットワークアクセス識別子（ＮＡＩ）を再度フォーマットした後に前記端末装置（ＧＨ）のネットワークプロバイダのサーバ（ＡＡＡ−ＧＨ）へと転送する、請求項１４記載のゲートウェイノード。
【請求項１６】
アクセスネットワーク（ＡＳＮ）のゲートウェイサーバにおいて、
（ａ）第２のネットワークプロバイダ（ＮＷＰ２）のゲートウェイノード（ＧＭＳ）から受信され、アクセスネットワーク（ＡＳＮ）のゲートウェイサーバ（ＡＳＮ−ＧＷ）へと伝送される、第１のネットワークプロバイダ（ＮＷＰ１）の端末装置（ＧＨ）に由来するメッセージに包含されているネットワークアクセス識別子（ＮＡＩ）を、前記メッセージが前記端末装置（ＧＨ）のネットワークプロバイダのサーバ（ＡＡＡ−ＧＨ）へと伝送される代わりに、ゲートウェイ（ＧＭＳ）のネットワークプロバイダのサーバ（ＡＡＡ−ＧＭＳ）へと伝送されるようにリフォーマットし、
（ｂ）前記端末装置（ＧＨ）の前記メッセージにそれぞれ包含されている前記ネットワークアクセス識別子（ＮＡＩ）は以下のフォーマット：
ＮＡＩ＝user@home-realm
を有し、ここで「user」は前記端末装置を識別するための文字列であり、
「home-realm」は前記第１のネットワークプロバイダ（ＮＷＰ１）のサーバをアドレッシングするための文字列であり、
前記ネットワークアクセス識別子（ＮＡＩ）を変更されたネットワークアクセス識別子（ＮＡＩ’）にリフォーマットし、該リフォーマットされたネットワークアクセス識別子（ＮＡＩ’）は以下のフォーマット：
ＮＡＩ’＝home-realm!user@other-realm
を有し、ここで「other-realm」は前記第２のネットワークプロバイダ（ＮＷＰ２）のサーバをアドレッシングするための文字列であり、
（ｄ）前記第２のネットワークプロバイダ（ＮＷＰ２）のサーバ（ＡＡＡ−ＧＭＳ）は転送されたメッセージの受信後に、前記変更されたネットワークアクセス識別子（ＮＡＩ’）を本来のネットワークアクセス識別子（ＮＡＩ）へと再度フォーマットし、前記メッセージを前記第１のネットワークプロバイダ（ＮＷＰ１）のサーバ（ＡＡＡ−ＧＨ）へと転送することを特徴とする、ゲートウェイサーバ。
【国際調査報告】
2009537102.tif 000008
2009537102.tif 000009
2009537102.tif 000010
2009537102.tif 000011
2009537102.tif 000012
2009537102.tif 000013